(57)【要約】【課題】車両に搭載される電子機器であって、ディスプレイを有する車載用電子機器の操作性、利便性を向上させる。【解決手段】電子機器は、ディスプレイを有する本体部と、本体部に対して移動可能な可動部と、可動部の移動に応じて、ディスプレイの表示内容を切り換える表示制御手段とを備える。具体的には、可動部が、本体部の前面部分に配置されたディスプレイに対して開閉するパネルであって、表示制御手段は、可動部の開閉状態に応じてディスプレイの表示内容を切り換える。【選択図】図３
2006330474.tif 000002
【特許請求の範囲】
【請求項１】
ディスプレイを有する本体部と、
前記本体部に対して移動可能な可動部と、
前記可動部の移動に応じて、前記ディスプレイの表示内容を切り換える表示制御手段とを備えることを特徴とする電子機器。
【請求項２】
請求項１において、
前記可動部は、前記本体部の前面部分に配置された前記ディスプレイに対して開閉するパネルであって、
前記表示制御手段は、前記可動部の開閉状態に応じて前記ディスプレイの表示内容を切り換えることを特徴とする電子機器。
【請求項３】
請求項２において、
前記表示制御手段は、前記可動部が開状態の場合、前記ディスプレイの全表示領域に第一の表示内容を表示し、前記可動部が閉状態の場合、前記ディスプレイの表示領域のうちの前記可動部によって覆われる第一の表示領域以外の第二の表示領域に第二の表示内容を表示することを特徴とする電子機器。
【請求項４】
請求項３において、
前記第一の表示内容は、前記電子機器の第一の機能に関する情報であり、前記第二の表示内容は、前記電子機器の第二の機能に関する情報であることを特徴とする電子機器。
【請求項５】
請求項３において、
前記第一の表示内容は、前記電子機器の所定の機能に関する詳細情報であり、前記第二の表示内容は、前記詳細情報より情報量の少ない簡易情報であることを特徴とする電子機器。
【請求項６】
請求項３において、
前記ディスプレイはタッチパネルディスプレイであり、前記可動部は、操作キーを備えた操作パネル面を有し、前記操作パネル面は、前記可動部が開状態において前記操作キーが操作可能となり、閉状態において前記操作キーが操作不能となる方向に向き、
前記第二の表示内容は、前記操作キーに対応するボタン類の表示を含み、前記ボタン類の表示部分に対する接触により前記操作キーの操作に対応する操作が可能となり、前記第一の表示内容は、前記ボタン類の表示を含まないことを特徴とする電子機器。
【請求項７】
請求項３又は４において、
前記可動部は、前記可動部が開状態において操作可能となる操作キーを備えた操作パネル面と、前記操作パネル面と反対の面にサブディスプレイとを有し、前記サブディスプレイは、前記可動部が閉状態において視認可能な方向を向き、
前記表示制御手段は、前記可動部が閉状態の場合、前記第一の表示内容に含まれる情報の一部である第三の表示内容を前記サブディスプレイに表示することを特徴とする電子機器。
【発明の詳細な説明】
【技術分野】
【０００１】
本発明は、電子機器に関し、特に、ディスプレイを有する車載用電子機器における操作性、利便性の向上を実現する電子機器に関する。
【背景技術】
【０００２】
車両などに搭載される電子機器であって、オーディオ機能やナビゲーション機能を有する車載用電子機器が知られている。車載用電子機器の本体は、例えば車両のダッシュボードに設けられるコンソールボックスなどに組み込まれ、液晶ディスプレイなどの表示装置や操作パネルが運転手（オペレータ）と面する方向に配置される。
【０００３】
電子機器の構成の一例として、前面部分にディスプレイが配置された本体部と、操作パネル面を有する可動部とを有する構成がある。
【０００４】
例えば、下記特許文献１では、サブディスプレイ及び操作スイッチを有する可動部が、本体部の側方を軸として本体部に対して開閉可能に取り付けられる構成が開示されている。また、下記特許文献２では、操作スイッチなどを有する可動部が、本体部のディスプレイの前面をスライド可能に本体部に取り付けられる構成が開示されている。
【特許文献１】特開２００１−１１８３６９号公報
【特許文献２】特開２００５−１７９６８号公報
【発明の開示】
【発明が解決しようとする課題】
【０００５】
電子機器が、上述したように、ディスプレイを有する本体部と、操作パネル面を有する可動部とを有し、可動部が本体部に対して移動可能な構成の場合、電子機器がオフ状態からオン状態になると、可動部がディスプレイの一部を覆っている閉状態から、本体部のディスプレイの全表示領域が視認可能となる開状態に移動し、ディスプレイの表示が行われる。そして、従来、電子機器がオフ状態の場合に、可動部が本体部のディスプレイの少なくとも一部を覆っている閉状態となるので、閉状態において本体部のディスプレイの表示は利用されていなかった。
【０００６】
しかしながら、電子機器がオン状態であっても可動部を閉状態にする動作を可能とする場合、閉状態においても、利用している機能に関する情報が、ディスプレイに表示されることが好ましい。ただし、閉状態の場合、ディスプレイの一部が可動部によって覆われてしまうため、可動部の開状態と閉状態において同一の内容をディスプレイを表示することができず、ディスプレイに表示される内容を可動部の開状態と閉状態において異ならせる必要がある。
【０００７】
そこで、本発明の目的は、可動部の開状態と閉状態においてディスプレイに表示される内容が変更される電子機器を提供することにある。
【０００８】
また、本発明の目的は、可動部がディスプレイの一部を覆う閉状態において、可動部により覆われていないディスプレイの領域に表示を行う電子機器を提供することにある。
【課題を解決するための手段】
【０００９】
上記目的を達成するための本発明の電子機器の第一の構成は、ディスプレイを有する本体部と、前記本体部に対して移動可能な可動部と、前記可動部の移動に応じて、前記ディスプレイの表示内容を切り換える表示制御手段とを備えることを特徴とする。
【００１０】
本発明の電子機器の第二の構成は、上記第一の構成において、前記可動部が、前記本体部の前面部分に配置された前記ディスプレイに対して開閉するパネルであって、前記表示制御手段は、前記可動部の開閉状態に応じて前記ディスプレイの表示内容を切り換えることを特徴とする。
【００１１】
本発明の電子機器の第三の構成は、上記第二の構成において、前記表示制御手段が、前記可動部が開状態の場合、前記ディスプレイの全表示領域に第一の表示内容を表示し、前記可動部が閉状態の場合、前記ディスプレイの表示領域のうちの前記可動部によって覆われる第一の表示領域以外の第二の表示領域に第二の表示内容を表示することを特徴とする。
【００１２】
本発明の電子機器の第四の構成は、上記第三の構成において、前記第一の表示内容は、前記電子機器の第一の機能に関する情報であり、前記第二の表示内容は、前記電子機器の第二の機能に関する情報であることを特徴とする。
【００１３】
本発明の電子機器の第五の構成は、上記第三の構成において、前記第一の表示内容は、前記電子機器の所定の機能に関する詳細情報であり、前記第二の表示内容は、前記詳細情報より情報量の少ない簡易情報であることを特徴とする。
【００１４】
本発明の電子機器の第六の構成は、上記第三の構成において、前記ディスプレイはタッチパネルディスプレイであり、前記可動部は、操作キーを備えた操作パネル面を有し、前記操作パネル面は、前記可動部が開状態において前記操作キーが操作可能となり、閉状態において前記操作キーが操作不能となる方向に向き、前記第二の表示内容は、前記操作キーに対応するボタン類の表示を含み、前記ボタン類の表示部分に対する接触により前記操作キーの操作に対応する操作が可能となり、前記第一の表示内容は、前記ボタン類の表示を含まないことを特徴とする。
【００１５】
本発明の電子機器の第七の構成は、上記第三又は第四の構成において、前記可動部は、前記可動部が開状態において操作可能となる操作キーを備えた操作パネル面と、前記操作パネル面と反対の面にサブディスプレイとを有し、前記サブディスプレイは、前記可動部が閉状態において視認可能な方向を向き、前記表示制御手段は、前記可動部が閉状態の場合、前記第一の表示内容に含まれる情報の一部である第三の表示内容を前記サブディスプレイに表示することを特徴とする。
【発明の効果】
【００１６】
本発明によれば、可動部の開閉に応じて、自動的にディスプレイの表示内容が適切に切り替わり、電子機器に対する操作性、利便性が向上する。
【発明を実施するための最良の形態】
【００１７】
以下、図面を参照して本発明の実施の形態について説明する。しかしながら、かかる実施の形態例が、本発明の技術的範囲を限定するものではない。
【００１８】
本実施の形態例では、車載用電子機器が、前面部分にディスプレイが配置された本体部と、操作パネル面を有する可動部とを備え、本体部の前面部分に配置されたディスプレイに対して可動部の操作パネル面が開閉するように、可動部が所定の回転軸の回転に伴って本体部に対して回転移動可能に取り付けられる構成であって、可動部の開閉状態に応じてディスプレイの表示内容が切り換えられる電子機器について例示する。
【００１９】
図１及び図２は、本発明の実施の形態における車載用電子機器を構成する本体部と可動部の正面図及び側面図であり、図１は、可動部１０が本体部２０に対して閉じている状態の正面図（図１（ａ））と側面図（図１（ｂ））であり、図２は、可動部１０が本体部２０に対して開いている状態の正面図（図２（ａ））と側面図（図２（ｂ））である。
【００２０】
図１に示すように、可動部１０は、可動部１０が閉状態の場合において、本体部２０のディスプレイ２１の表示領域よりも小さいサイズであって、本体部２０のディスプレイ２１の表示領域の一部を覆っている。従って、可動部１０が閉状態において、可動部１０により覆われる表示領域部分はユーザが視認不能であり、情報を表示することはできない。一方で、可動部１０により覆われていないディスプレイ２１の表示領域部分については、可動部１０が閉状態においてもユーザにより視認可能なので、情報を表示することが可能である。
【００２１】
可動部１０はモータ駆動により、例えば本体部２０のディスプレイ２１に対して９０度の位置まで回転移動し、開状態となると、本体部２０のディスプレイ２１の全表示領域が視認可能となるとともに、可動部１０の操作パネル面１１に対する操作が可能な状態となる。図２に示すように、可動部１０が開状態となる角度は９０度に固定されず、ユーザの好みに基づく任意の角度に設定することができる。具体的には、９０度を超えた任意の角度（例えば最大１８０度）まで回転可能であってもよい。なお、回転軸２２は、本体部２０に固定され、可動部１０の位置を検出するためのものである。
【００２２】
可動部１０のディスプレイ２１に対する角度は、可動部１０に内蔵される例えばスライド型可変抵抗器である直線センサにより検出することができる。図示されないコンピュータ制御手段は、直線センサの出力電圧に基づいて、可動部１０の回転角度を求める。車載用電子機器がオフ状態からオン状態になると、まず、可動部１０を０度からデフォルト開き位置である９０度まで回転させ、９０度に達すると可動部１０の回転を停止させる。さらに、可動部１０を９０度を超えた任意の角度まで回転させる場合は、所定の操作により可動部１０をさらに回転させ所望の開き位置まで回転したところで回転停止操作を行い、その開き位置を例えばメモリに記憶させ、次回からは、自動的に当該開き位置まで回転させる。また、所望の角度を入力して可動部１０をその角度まで回転させるようにしてもよい。コンピュータ制御手段は、ＣＰＵ及びメモリを備えて構成され、本実施の形態例にかかる上記位置検出制御及び後述する表示制御に関する制御プログラムを実行することにより、本発明が実現される。
【００２３】
可動部１０の操作パネル面１１上には、操作キーが設けられるが、操作キーは押しボタンのような構成でもよいし、操作パネル面１１をタッチパネルディスプレイで構成し、操作キーをタッチパネルディスプレイに表示させ、操作キーの表示部分を接触することで操作可能としてもよい。また、後述するように、本体部２０のディスプレイ２１も、タッチパネルディスプレイであってもよい。
【００２４】
また、図示されないコンピュータ制御手段は表示制御手段として機能し、可動部１０の位置を検出し、可動部１０の開閉状態に応じて、本体部２０のディスプレイ２１に表示する表示内容を切り換える。以下、表示内容の切り換えの具体例について説明する。
【００２５】
図３は、本発明の実施の形態例における表示内容の切り換えの第一の例を説明する図である。第一の例では、可動部１０の開閉状態に応じて、電子機器の有する第一の機能に関する情報と第二の機能に関する情報とを切り換える。例えば、電子機器のナビゲーション機能を利用して、ディスプレイ２１に地図画像の表示を行いながら、音楽ＣＤ又はラジオなどのオーディオ機能も利用している場合、図３（ａ）に示す開状態では、ディスプレイ２１の全表示領域（斜線部）に、ナビゲーション機能における地図画像が表示され、図３（ｂ）に示す閉状態では、ディスプレイ２１の表示領域のうちの可動部１０により覆われていない領域（斜線部）に、オーディオ機能におけるオーディオ情報が表示される。オーディオ情報は、例えば、ラジオを聴いている場合は、ラジオ局名、周波数などの情報であり、音楽ＣＤの場合は、曲番や曲タイトルなどである。ナビゲーション機能における地図画像は、比較的多くの情報量を有しているため、可動部が閉状態となりディスプレイ２１の表示領域が制限される場合は、必要な情報を表示しきれない可能性がある。このような場合、ユーザ操作によりあえて可動部が閉状態となった場合は、図３の例のように、電子機器の別機能に関する別の情報であって、制限された表示領域において表示可能な情報を表示する。
【００２６】
図４は、本発明の実施の形態例における表示内容の切り換えの第二の例を説明する図である。第二の例では、可動部１０の開閉状態に応じて、詳細情報と簡易情報とを切り換える。例えば、図４（ａ）に示すように、電子機器のオーディオ機能を利用し、音楽ＣＤを再生している場合、可動部１０の開状態では、ディスプレイ２１の全表示領域に表示可能なので、全表示領域（斜線部）を利用して、音楽ＣＤのタイトル名、アーティスト名、音楽ＣＤに格納される全曲のタイトルリスト、さらにはそのうちの現在再生中のタイトルを識別可能に表示する詳細表示となる。一方、図４（ｂ）に示すように、可動部１０の閉状態では、ディスプレイ２１の表示領域が制限されるため、ディスプレイ２１の表示領域のうちの可動部１０により覆われていない領域（斜線部）に、ＣＤのタイトル名、アーティスト名と現在再生中の曲タイトルのみの簡易表示となる。ナビゲーション機能を利用している場合は、詳細情報として、例えば地図画像や目的地までの距離、現在位置などの情報が表示され、簡易情報としては、例えば目的地までの距離や現在位置のみが表示される。
【００２７】
図５は、本発明の実施の形態例における表示内容の切り換えの第三の例を説明する図である。第三の例では、可動部１０の開閉状態に応じて、可動部１０の操作パネル面１１上に設けられる操作キーに対応するボタン類の表示／非表示を切り換える。本例では、本体部２０のディスプレイ２１は、タッチパネルディスプレイである。タッチパネルディスプレイは、絵や文字が表示される画面（ディスプレイ）に、指やペンなどで直接触れることで所定の操作を行うことができる入力機能（タッチパネル機能）を有するディスプレイである。例えば、図５（ａ）に示すように、可動部１０が開状態の場合は、可動部１０の操作パネル面１１上の操作キーを操作可能であるので、ディスプレイ２１にボタン類は表示されず、例えば、全表示領域（斜線部）に地図画像が表示される。一方、可動部１０が閉状態になると、可動部１０の操作パネル面１１上の操作キーを利用できなくなるので、ディスプレイ２１の表示領域のうちの可動部１０により覆われていない領域（斜線部）に、操作パネル面１１上の操作キーに対応するボタン類を表示する。これにより、可動部１０が閉状態となっても、各種操作を可能とする。
【００２８】
図６は、本発明の実施の形態例における表示内容の切り換えの第四の例を説明する図である。第四の例では、可動部１０の操作パネル面１１の裏面にサブディスプレイ１２が設けられる。サブディスプレイ１２は、可動部１０が開状態の場合は、操作パネル面１１の裏側に隠れてしまい、視認不能となるが、可動部１０の閉状態において前方に向くので視認可能となる。
【００２９】
図６（ａ）に示すように、例えば、ナビゲーション機能を利用し、可動部１０が開状態である場合、本体部２０のディスプレイ２１の全表示領域（斜線部）には、詳細情報としての地図画像などが表示され、可動部１０の操作パネル面１１上の操作キーが操作可能である。そして、図６（ｂ）に示すように、可動部１０が閉状態になると、ディスプレイ２１の表示領域が制限されるため、地図画像の表示を停止し、サブディスプレイ１２の表示領域（斜線部）にナビゲーション機能に関する簡易情報が表示される。簡易情報は、上述したように、例えば、目的地までの距離、現在位置などの必要最低限の文字情報などである。なお、地図画像が非表示となった本体部２０のディスプレイ２１には、視認可能領域（すなわち、ディスプレイ２１の表示領域のうちの可動部１０により覆われていない領域）に、例えば、図３の第一の例と同様に、オーディオ情報、時計情報など電子機器の別機能に関する情報が表示される。
【００３０】
また、ナビゲーション機能に関し、音声案内と必要最低限の情報で足りる場合であって、ディスプレイ２１をオーディオ情報の表示として利用したい場合、可動部１０を閉状態にすることで、ナビゲーション機能を利用しつつ、オーディオ情報の表示可能となる。ディスプレイ２１がタッチパネルディスプレイであれば、ディスプレイ２１にオーディオ操作ボタンを表示することで、オーディオ操作も可能となる。なお、可動部１０が閉状態においては、ディスプレイ２１の表示が行われなくともよい。
【００３１】
また、あらかじめ電子機器の記憶手段に記憶させた静止画像データや動画像データなどを表示するようにしてもよい。
【図面の簡単な説明】
【００３２】
【図１】本発明の実施の形態における車載用電子機器を構成する本体部と可動部の閉状態における正面図及び側面図である。
【図２】本発明の実施の形態における車載用電子機器を構成する本体部と可動部の開状態における正面図及び側面図である。
【図３】本発明の実施の形態例における表示内容の切り換えの第一の例を説明する図である。
【図４】本発明の実施の形態例における表示内容の切り換えの第二の例を説明する図である。
【図５】本発明の実施の形態例における表示内容の切り換えの第三の例を説明する図である。
【図６】本発明の実施の形態例における表示内容の切り換えの第四の例を説明する図である。
【符号の説明】
【００３３】
１０：可動部、１１：操作パネル面、１２：サブディスプレイ、２０：本体部、２１：ディスプレイ
【図１】
2006330474.tif 000003
【図２】
2006330474.tif 000004
【図３】
2006330474.tif 000005
【図４】
2006330474.tif 000006
【図５】
2006330474.tif 000007
【図６】
2006330474.tif 000008